Podtech/llm-jp-corpus-v4-ja_patent huggingface dataset:
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
変動表示の回数に対応する２以上の数字情報が付された２つの図柄を少なくとも含む複数の図柄が周回するよう配置された回胴体を所定の図柄列とし、当該回胴体を含む複数の回胴体を並べて構成される複数の図柄列の各々を、前記複数の回胴体を各々回胴させることによって各々変動表示可能な表示部と、
所定の始動条件が成立した場合に所定の抽選を行う抽選手段と、
前記始動条件が成立した場合に、前記表示部にて、前記複数の図柄列を変動表示した後、前記抽選手段による抽選結果に対応する停止図柄で停止表示する変動実行手段と、
前記抽選手段による抽選結果が所定の第１結果である場合、前記変動実行手段によって前記複数の図柄列が前記第１結果に対応する停止図柄で停止表示された後、通常遊技状態より有利な遊技状態である特別遊技状態を発生する遊技制御手段と、
前記変動実行手段により前記変動表示が行われている場合に前記始動条件が成立した場合には、所定個数を上限として、前記抽選手段による抽選結果に対応する情報を所定の記憶部に記憶することで、当該情報を、前記変動実行手段により当該情報に対応する前記変動表示が実行されるまで保留する保留手段と、
該保留手段により保留された前記抽選結果に対応する情報であって少なくとも２以上の変動表示が実行された後に実行される所定の変動表示の実行に対応する演出対象情報に基づいて、所定の演出を実行する演出実行手段と、を備え、
前記所定の演出は、前記変動実行手段により前記所定の変動表示より前に実行される変動表示において、前記複数の図柄列のうち前記所定の回胴体に表示される図柄列の図柄が、前記所定の変動表示が実行されるまでに実行される変動表示の回数に対応する数字情報が付された図柄で遊技者が視認可能に停止する演出であることを特徴とする遊技機。
【請求項２】
変動表示の回数に対応する２以上の数字情報が付された２つの図柄を少なくとも含む複数の図柄が周回するように配置された複数の図柄列の各々を変動表示可能な表示部と、
所定の始動条件が成立した場合に所定の抽選を行う抽選手段と、
前記始動条件が成立した場合に、前記表示部にて、前記複数の図柄列を変動表示した後、前記抽選手段による抽選結果に対応する停止図柄で停止表示する変動実行手段と、
前記抽選手段による抽選結果が所定の第１結果である場合、前記変動実行手段によって前記複数の図柄列が前記第１結果に対応する停止図柄で停止表示された後、通常遊技状態より有利な遊技状態である特別遊技状態を発生する遊技制御手段と、
前記変動実行手段により前記変動表示が行われている場合に前記始動条件が成立した場合には、所定個数を上限として、前記抽選手段による抽選結果に対応する情報を所定の記憶部に記憶することで、当該情報を、前記変動実行手段により当該情報に対応する前記変動表示が実行されるまで保留する保留手段と、
該保留手段により保留された前記抽選結果に対応する情報であって少なくとも２以上の変動表示が実行された後に実行される所定の変動表示の実行に対応する演出対象情報に基づいて、所定の演出を実行する演出実行手段と、を備え、
前記所定の演出は、前記変動実行手段により前記所定の変動表示より前に実行される変動表示において、前記複数の図柄列のうち所定の図柄列の図柄が、前記所定の変動表示が実行されるまでに実行される変動表示の回数に対応する数字情報が付された図柄で遊技者が視認可能に停止する演出であることを特徴とする遊技機。
【手続補正２】
【補正対象書類名】明細書
【補正対象項目名】０００７
【補正方法】変更
【補正の内容】
【０００７】
本発明に係る請求項１に記載の遊技機は、上記の課題を解決するために、
変動表示の回数に対応する２以上の数字情報が付された２つの図柄を少なくとも含む複数の図柄が周回するよう配置された回胴体を所定の図柄列とし、当該回胴体を含む複数の回胴体を並べて構成される複数の図柄列の各々を、前記複数の回胴体を各々回胴させることによって各々変動表示可能な表示部と、
所定の始動条件が成立した場合に所定の抽選を行う抽選手段と、
前記始動条件が成立した場合に、前記表示部にて、前記複数の図柄列を変動表示した後、前記抽選手段による抽選結果に対応する停止図柄で停止表示する変動実行手段と、
前記抽選手段による抽選結果が所定の第１結果である場合、前記変動実行手段によって前記複数の図柄列が前記第１結果に対応する停止図柄で停止表示された後、通常遊技状態より有利な遊技状態である特別遊技状態を発生する遊技制御手段と、
前記変動実行手段により前記変動表示が行われている場合に前記始動条件が成立した場合には、所定個数を上限として、前記抽選手段による抽選結果に対応する情報を所定の記憶部に記憶することで、当該情報を、前記変動実行手段により当該情報に対応する前記変動表示が実行されるまで保留する保留手段と、
該保留手段により保留された前記抽選結果に対応する情報であって少なくとも２以上の変動表示が実行された後に実行される所定の変動表示の実行に対応する演出対象情報に基づいて、所定の演出を実行する演出実行手段と、を備え、
前記所定の演出は、前記変動実行手段により前記所定の変動表示より前に実行される変動表示において、前記複数の図柄列のうち前記所定の回胴体に表示される図柄列の図柄が、前記所定の変動表示が実行されるまでに実行される変動表示の回数に対応する数字情報が付された図柄で遊技者が視認可能に停止する演出であることを特徴としている。
また、請求項２に記載の遊技機は、
変動表示の回数に対応する２以上の数字情報が付された２つの図柄を少なくとも含む複数の図柄が周回するように配置された複数の図柄列の各々を変動表示可能な表示部と、
所定の始動条件が成立した場合に所定の抽選を行う抽選手段と、
前記始動条件が成立した場合に、前記表示部にて、前記複数の図柄列を変動表示した後、前記抽選手段による抽選結果に対応する停止図柄で停止表示する変動実行手段と、
前記抽選手段による抽選結果が所定の第１結果である場合、前記変動実行手段によって前記複数の図柄列が前記第１結果に対応する停止図柄で停止表示された後、通常遊技状態より有利な遊技状態である特別遊技状態を発生する遊技制御手段と、
前記変動実行手段により前記変動表示が行われている場合に前記始動条件が成立した場合には、所定個数を上限として、前記抽選手段による抽選結果に対応する情報を所定の記憶部に記憶することで、当該情報を、前記変動実行手段により当該情報に対応する前記変動表示が実行されるまで保留する保留手段と、
該保留手段により保留された前記抽選結果に対応する情報であって少なくとも２以上の変動表示が実行された後に実行される所定の変動表示の実行に対応する演出対象情報に基づいて、所定の演出を実行する演出実行手段と、を備え、
前記所定の演出は、前記変動実行手段により前記所定の変動表示より前に実行される変動表示において、前記複数の図柄列のうち所定の図柄列の図柄が、前記所定の変動表示が実行されるまでに実行される変動表示の回数に対応する数字情報が付された図柄で遊技者が視認可能に停止する演出であることを特徴としている。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
複数のプレイヤを含むチームを編成してプレイするゲームを制御する情報処理装置であって、
前記チームに属するプレイヤにターンを付与するターン制御部と、
前記ターンを付与されていない第１のプレイヤから受け付けた操作内容を、前記ターンを付与された第２のプレイヤに提示する提示部と、
前記第２のプレイヤから受け付けた操作に基づいて前記ゲームの進行を制御するゲーム制御部と、を備える情報処理装置。
【請求項２】
前記ゲーム制御部は、前記第２のプレイヤに付与された制限時間内に前記第２のプレイヤから受け付けた操作に基づいて前記ゲームの進行を制御し、
前記提示部は、前記第１のプレイヤから受け付けた操作内容を、前記制限時間が所定の時間経過した後に提示する、請求項１に記載の情報処理装置。
【請求項３】
前記提示部は、前記制限時間が０になるまで前記第１のプレイヤから受け付けた操作内容を提示する、請求項２に記載の情報処理装置。
【請求項４】
前記提示部は、前記第１のプレイヤに指定されたキャラクタを、前記第２のプレイヤに提示する請求項１から３のいずれかに記載の情報処理装置。
【請求項５】
前記提示部は、前記第２のプレイヤが保有するキャラクタから前記第１のプレイヤに指定されたキャラクタを前記第２のプレイヤに提示する請求項４に記載の情報処理装置。
【請求項６】
前記提示部は、前記第１のプレイヤに指定されたキャラクタを、前記第２のプレイヤから選択を受け付けたキャラクタと異なる態様で表示する請求項１から５のいずれかに記載の情報処理装置。
【請求項７】
前記ゲーム制御部は、前記第２のプレイヤから受け付けた操作に基づいて所定のキャラクタの攻撃を発動し、
前記所定のキャラクタが複数の場合に、前記第１のプレイヤに選択されたキャラクタを攻撃対象とするターゲット変更部をさらに備える請求項１から６のいずれかに記載の情報処理装置。
【請求項８】
コンピュータを用いて複数のプレイヤを含むチームを編成してプレイするゲームを制御するためのプログラムであって、
前記チームに属するプレイヤにターンを付与する機能と、
前記ターンを付与されていない第１のプレイヤから受け付けた操作内容を、前記ターンを付与された第２のプレイヤに提示する機能と、
前記第２のプレイヤから受け付けた操作に基づいて前記ゲームの進行を制御する機能と
をコンピュータに実行させるためのプログラム。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
入力装置を備えるコンピュータ装置と、コンピュータ装置と通信により接続可能なサーバ装置と、表示装置を備えるクライアント端末とを備え、コンテンツへの評価に関する評価情報をクライアント端末において閲覧可能な評価情報閲覧システムであって、
コンピュータ装置が、
コンテンツの進行中に、プレイヤの入力装置への入力操作に従って、前記評価情報を受け付ける評価情報受付手段と、
受け付けた評価情報、及び、コンテンツに関するコンテンツ情報をサーバ装置に送信する情報送信手段と
を備え、
クライアント端末が、コンピュータ装置により送信された評価情報及びコンテンツ情報を表示する表示手段を備える、評価情報閲覧システム。
【請求項２】
サーバ装置が、コンピュータ装置から送信された評価情報及びコンテンツ情報を関連付けて記憶する情報記憶手段を備える、請求項１に記載の評価情報閲覧システム。
【請求項３】
評価情報閲覧システムがさらに、サーバ装置と通信により接続可能なウェブサーバ装置を備え、
サーバ装置における評価情報及びコンテンツ情報の受信、並びに、ウェブサーバ装置におけるサーバ装置から受信した評価情報及びコンテンツ情報のクライアント端末への送信を同期的に制御する、請求項１又は２に記載の評価情報閲覧システム。
【請求項４】
入力装置を備えるコンピュータ装置と、コンピュータ装置と通信により接続可能なサーバ装置と、表示装置を備えるクライアント端末とを備え、コンテンツへの評価に関する評価情報をクライアント端末において閲覧可能な評価情報閲覧システムに含まれるコンピュータ装置で実行されるプログラムであって、
コンピュータ装置を
コンテンツの進行中に、プレイヤの入力装置への入力操作に従って、前記評価情報を受け付ける評価情報受付手段、
受け付けた評価情報、及び、コンテンツに関するコンテンツ情報をサーバ装置に送信する情報送信手段
として機能させるプログラム。
【請求項５】
入力装置を備えるコンピュータ装置と、コンピュータ装置と通信により接続可能なサーバ装置と、表示装置を備えるクライアント端末を備え、コンテンツへの評価に関する評価情報をクライアント端末において閲覧させる評価情報閲覧方法であって、
コンテンツの進行中に、プレイヤの入力装置への入力操作に従って、前記評価情報を受け付けるステップと、
受け付けた評価情報、及び、コンテンツに関するコンテンツ情報をサーバ装置に送信するステップと、
コンピュータ装置により送信された評価情報及びコンテンツ情報をクライアント端末に表示するステップと
を有する、評価情報閲覧方法。
【請求項６】
コンテンツを進行させるコンピュータ装置と、コンピュータ装置と通信により接続可能なサーバ装置と、表示装置を備えるクライアント端末とを備え、コンテンツへの評価に関する評価情報をクライアント端末において閲覧可能な評価情報閲覧システムであって、
コンピュータ装置が、
コンテンツの進行中に、コンテンツに関するコンテンツ情報及び評価情報を関連付けて記憶する評価情報記憶手段と、
コンテンツ情報及び評価情報をサーバ装置に送信する情報送信手段と
を備え、
クライアント端末が、コンピュータ装置により送信されたコンテンツ情報及び評価情報を表示する表示手段を備える、評価情報閲覧システム。
【請求項７】
評価情報記憶手段が、コンテンツの進行中に、評価がされた時間又はコンテンツの進行状況を識別する識別情報と、評価情報とを関連付けて記憶する、請求項６に記載の評価情報閲覧システム。
【請求項８】
前記情報送信手段が、所定の条件が満たされた場合に、コンテンツ情報とは別に、評価情報をサーバ装置に送信する、請求項６又は７に記載の評価情報閲覧システム。
【請求項９】
システムが、コンピュータ装置とサーバ装置との通信量が所定値以下であることを判定する判定手段を備え、
前記所定の条件が、判定手段により通信量が所定値以下であると判定されることである、請求項８に記載の評価情報閲覧システム。
【請求項１０】
コンテンツを進行させるコンピュータ装置と、コンピュータ装置と通信により接続可能なサーバ装置と、表示装置を備えるクライアント端末とを備え、コンテンツへの評価に関する評価情報をクライアント端末において閲覧可能な評価情報閲覧システムに含まれるコンピュータ装置で実行されるプログラムであって、
コンピュータ装置を
コンテンツの進行中に、コンテンツに関するコンテンツ情報及び評価情報を関連付けて記憶する評価情報記憶手段、
コンテンツ情報及び評価情報をサーバ装置に送信する情報送信手段
として機能させるプログラム。
【請求項１１】
コンテンツを進行させるコンピュータ装置と、コンピュータ装置と通信により接続可能なサーバ装置と、表示装置を備えるクライアント端末とを備え、コンテンツへの評価に関する評価情報をクライアント端末において閲覧させる評価情報閲覧方法であって、
コンテンツの進行中に関連付けて記憶されたコンテンツに関するコンテンツ情報及び評価情報をサーバ装置に送信するステップと、
コンピュータ装置により送信された評価情報及びコンテンツ情報をクライアント端末に表示するステップと
を有する、評価情報閲覧方法。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
患部からの光をＩＲ成分、青色成分、赤色成分、緑色成分にそれぞれ分解するＩＲプリズム、青色プリズム、赤色プリズムおよび緑色プリズムからなる４つのプリズムを有する医療用の４色プリズムであって、
前記ＩＲプリズム、前記青色プリズム、前記赤色プリズム、前記緑色プリズムのうち、前記患部に最も近い側に配置されたプリズムを第１プリズム、前記第１プリズムに隣接する前記患部から２番目に近い側に配置されたプリズムを第２プリズム、前記第２プリズムに隣接する前記患部から３番目に近い側に配置されたプリズムを第３プリズムとし、
前記第１プリズムと前記第２プリズムとの第１の境界、および前記第２プリズムと前記第３プリズムとの第２の境界で光を反射させる、
４色プリズム。
【請求項２】
前記第１プリズムの出射面に到達する第１プリズム光は、前記第１の境界で反射する、
請求項１に記載の４色プリズム。
【請求項３】
前記第２プリズムの出射面に到達する第２プリズム光は、前記第１の境界および前記第２の境界で反射する、
請求項２に記載の４色プリズム。
【請求項４】
前記第３プリズムの出射面に到達する第３プリズム光は、前記第２の境界で反射する、
請求項３に記載の４色プリズム。
【請求項５】
前記第１プリズムは前記ＩＲプリズムである、
請求項１に記載の４色プリズム。
【請求項６】
前記ＩＲプリズムの出射面と前記第２プリズムの出射面とは、前記ＩＲプリズムの患部側入射面に垂直に入射する入射光線を挟んで反対に配置される、
請求項５に記載の４色プリズム。
【請求項７】
患部からの光をＩＲ成分、青色成分、赤色成分、緑色成分にそれぞれ分解するＩＲプリズム、青色プリズム、赤色プリズムおよび緑色プリズムからなる４つのプリズムを有する医療用の４色プリズムであって、
前記患部に最も近い側に前記ＩＲプリズムが配置され、
前記青色プリズム、前記赤色プリズム、前記緑色プリズムのうち、前記青色プリズムが、前記ＩＲプリズムに隣接する前記患部から２番目に近い側に配置され、
前記ＩＲプリズムの出射面と前記青色プリズムの出射面とは、前記ＩＲプリズムの患部側入射面に垂直に入射する入射光線を挟んで反対に配置される、
４色プリズム。
【請求項８】
前記緑色プリズムは、前記患部から最も遠い側に配置される、
請求項７に記載の４色プリズム。
【請求項９】
前記赤色プリズムは、前記患部から３番目に近い側に配置される、
請求項７に記載の４色プリズム。
【請求項１０】
前記赤色プリズムの出射面は、前記入射光線を挟んで、前記ＩＲプリズムの出射面と反対に配置される、
請求項９に記載の４色プリズム。
【手続補正２】
【補正対象書類名】明細書
【補正対象項目名】０００６
【補正方法】変更
【補正の内容】
【０００６】
本開示は、患部からの光をＩＲ成分、青色成分、赤色成分、緑色成分にそれぞれ分解するＩＲプリズム、青色プリズム、赤色プリズムおよび緑色プリズムからなる４つのプリズムを有する医療用の４色プリズムであって、前記ＩＲプリズム、前記青色プリズム、前記赤色プリズム、前記緑色プリズムのうち、前記患部に最も近い側に配置されたプリズムを第１プリズム、前記第１プリズムに隣接する前記患部から２番目に近い側に配置されたプリズムを第２プリズム、前記第２プリズムに隣接する前記患部から３番目に近い側に配置されたプリズムを第３プリズムとし、前記第１プリズムと前記第２プリズムとの第１の境界、および前記第２プリズムと前記第３プリズムとの第２の境界で光を反射させる、４色プリズムを提供する。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
所定の始動口への遊技球の入賞を契機として乱数を取得する乱数取得手段と、
図柄変動の開始条件の成立時に、前記乱数に基づき当りであるかを判定する開始時判定手段と、
前記図柄変動が終了すると前記当りであるかが示される遊技機であって、
前記当りであるかを期待させる期待演出が表示される演出表示手段と、を備え、
前記演出表示手段には特定の段階数であることを示す特定表示が表示されうるようになっており、
前記特定の段階数であることを示す特定表示を表示する際、当該特定の段階数に至るまで段階的な進行を伴って前記特定表示を表示する場合と、段階的な進行を伴うことなく前記特定表示を表示する場合とがあり、
前記段階的な進行を伴うことなく前記特定の段階数であることを示す前記特定表示を表示する場合であっても、当該特定の段階数に至るまでの過程を認識可能に表示する
ことを特徴とする遊技機。
【手続補正２】
【補正対象書類名】明細書
【補正対象項目名】０００４
【補正方法】変更
【補正の内容】
【０００４】
このように先読み演出などによって期待感を持続させようとしているものの、まだまだ改善の余地はあり、改善をしていかないと、遊技興趣の低下を招くおそれがある。
【手続補正３】
【補正対象書類名】明細書
【補正対象項目名】０００７
【補正方法】変更
【補正の内容】
【０００７】
所定の始動口への遊技球の入賞を契機として乱数を取得する乱数取得手段と、図柄変動の開始条件の成立時に、前記乱数に基づき当りであるかを判定する開始時判定手段と、前記図柄変動が終了すると前記当りであるかが示される遊技機であって、前記当りであるかを期待させる期待演出が表示される演出表示手段と、を備え、前記演出表示手段には特定の段階数であることを示す特定表示が表示されうるようになっており、前記特定の段階数であることを示す特定表示を表示する際、当該特定の段階数に至るまで段階的な進行を伴って前記特定表示を表示する場合と、段階的な進行を伴うことなく前記特定表示を表示する場合とがあり、前記段階的な進行を伴うことなく前記特定の段階数であることを示す前記特定表示を表示する場合であっても、当該特定の段階数に至るまでの過程を認識可能に表示することを特徴とする遊技機。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
バルーンカテーテルに用いられるバルーンを製造するための、直胴部の両端に延伸部を有するパリソンの製造装置であって、
直管状のパリソン用チューブの両端をそれぞれ解除可能に固定する一対の固定機構と、
前記固定機構に固定された前記パリソン用チューブの一部を非接触で加熱する加熱金型と、
前記一対の固定機構の一方を他方に対して離間するように付勢して、前記パリソン用チューブを延伸させる延伸機構と、
前記延伸機構を作動させた際に、前記パリソン用チューブに生じている張力を検出する張力検出手段と、を有するパリソン製造装置。
【請求項２】
前記張力検出手段による検出値に基づいて、前記パリソン用チューブに生じている張力が実質的に一定となるように、前記延伸機構を制御する制御手段をさらに有する請求項１に記載のパリソン製造装置。
【請求項３】
前記一対の固定機構はそれぞれ、
前記パリソン用チューブの端部の内腔に挿入されるピン部と、
前記ピン部が立設され、前記ピン部が挿入された前記パリソン用チューブの端面が当接される当接部と、
前記ピン部が挿入され、その端面が前記当接部に当接された前記パリソン用チューブの該ピン部が挿入された部分を外側から挟持するチャック部と、を有する請求項１または２に記載のパリソン製造装置。
【請求項４】
前記ピン部は、その先端に開口する気体通路を有し、
前記気体通路を介して前記パリソン用チューブの内腔内に不活性ガスを供給するようにした請求項３に記載のパリソン製造装置。
【手続補正書】
【提出日】平成30年12月27日(2018.12.27)
【手続補正１】
【補正対象書類名】明細書
【補正対象項目名】００４３
【補正方法】変更
【補正の内容】
【００４３】
Ｒ３およびＲ４の具体例としては、ハロゲン原子、シアノ基、ニトロ基、シリル基、アミノ基、炭素数１〜６のアルキル基、炭素数１〜６のハロゲン置換アルキル基、炭素数４〜８のシクロアルキル基、炭素数６〜１２の置換又は無置換のアリール基、炭素数１〜６のアルコキシ基、炭素数４〜８のシクロアルコキシ基、炭素数６〜１２のアリールオキシ基、炭素数１〜６のアルキルチオ基、炭素数４〜１０のシクロアルキルチオ基、炭素数６〜１２のアリールチオ基、炭素数１〜６のアルコキシカルボニル基、炭素数６〜１２のアリールオキシカルボニル基、炭素数１〜６のスルファモイル基、炭素数１〜６のアシル基、炭素数１〜６のアシルオキシ基、炭素数１〜６のアミド基、炭素数１〜６のカルボニル基、炭素数１〜６のウレイド基、炭素数１〜６のスルフィニル基、炭素数１〜６のアルキルスルホニル基、炭素数６〜１２のアリールスルホニル基、および炭素数１〜６のアルキルアミノ基等が挙げられる。これらの中でも、ハロゲン原子、シアノ基、メチル基、トリフルオロメチル基、メトキシ基およびフェニル基が好ましく、メチル基およびトリフルオロメチル基が特に好ましく、メチル基が最も好ましい。ベンゼン環上に置換基Ｒ３およびＲ４が存在する場合、両者は同一でも異なっていてもよい。
【手続補正２】
【補正対象書類名】明細書
【補正対象項目名】００８３
【補正方法】変更
【補正の内容】
【００８３】
（陽極）
陽極の材料は特に制限されないが、仕事関数の大きい（例えば４ｅＶ以上）金属、合金、金属酸化物、電気伝導性化合物およびこれらの混合物が好ましく用いられる。陽極の材料の具体例としては、Ａｕ等の金属の薄膜、インジウム・スズ酸化物（ＩＴＯ）、インジウム・亜鉛酸化物（ＩＺＯ）、酸化亜鉛、酸化錫等の金属酸化物等が挙げられる。中でも、発光層から発生した光の取り出し効率の向上や、パターニングの容易性の観点から、透明性の高い金属酸化物であるＩＴＯあるいはＩＺＯが好ましく用いられる。陽極を構成する金属酸化物中には、必要に応じて、アルミニウム、ガリウム、ケイ素、ホウ素、ニオブ等のドーパントが含まれていてもよい。
【手続補正３】
【補正対象書類名】明細書
【補正対象項目名】００９８
【補正方法】変更
【補正の内容】
【００９８】
電子輸送材料は、ラジカルアニオン化し易い化合物が好ましく、例えば、ニトロ置換フルオレン誘導体、ジフェニルキノン誘導体、チオピランジオキシド誘導体、カルボジイミド、フレオレニリデンメタン誘導体、アントラキノジメタンおよびアントロン誘導体、オキサジアゾール誘導体、チアジアゾール誘導体、フェナントロリン誘導体、キノリン誘導体、キノキサリン誘導体等が挙げられる。電子輸送材料の具体例としては、２，９−ジメチル−４，７−ジフェニル−１，１０−フェナントロリン（ＢＣＰ）、トリス［（８−ハイドロキシキノリナート）］アルミニウム（III）（Ａｌｑ３）等が挙げられる。中でも、汎用性の観点から、Ａｌｑ３が好適に用いられる。
【手続補正４】
【補正対象書類名】特許請求の範囲
【補正対象項目名】全文
【補正方法】変更
【補正の内容】
【特許請求の範囲】
【請求項１】
下記一般式（I）で表される化合物からなる有機ＥＬ材料：
【化１】
2017059808.tif 000001
一般式（I）において、
Ｒ１およびＲ２は、いずれも水素原子であり、
Ａは、置換基を有していてもよいヘテロアリール基または置換基を有していてもよいアリールアミノ基が、少なくとも１つ、直接または他の芳香族基を介してピリジン環の４位炭素に結合している置換基である。
【請求項２】
前記一般式（I）で表される化合物のＳ１エネルギーとＴ１エネルギーの差ΔＥＳＴが０．３ｅＶ以下である、請求項１に記載の有機ＥＬ材料。
【請求項３】
前記一般式（I）において、Ａが、ピリジン環の４位炭素に直接結合している置換アリールであり、前記置換アリール上の置換基として、ヘテロアリール基または置換基を有していてもよいアリールアミノ基を含む、請求項１または２に記載の有機ＥＬ材料。
【請求項４】
前記一般式（I）において、Ａが、置換基を有していてもよいヘテロアリール基を含む置換基である、請求項１〜３のいずれか１項に記載の有機ＥＬ材料。
【請求項５】
前記置換基を有していてもよいヘテロアリール基が、含窒素芳香族複素環を含む、請求項４に記載の有機ＥＬ材料。
【請求項６】
前記含窒素芳香族複素環がカルバゾール環である、請求項５に記載の有機ＥＬ材料。
【請求項７】
前記一般式（I）において、Ａが、下記式（II）で表される置換基である、請求項６に記載の有機ＥＬ材料：
【化２】
2017059808.tif 000002
上記式（II）において、Ｃｚは置換基を有していてもよいカルバゾリル基である。
【請求項８】
前記一般式（I）において、Ａが、下記式（III）で表される置換基である、請求項６に記載の有機ＥＬ材料：
【化３】
2017059808.tif 000003
上記式（III）において、Ｃｚは置換基を有していてもよいカルバゾリル基である。
【請求項９】
前記置換アリールは、ピリジン環との結合位の隣接位に、前記ヘテロアリール基を含む置換基とは異なる置換基をさらに有する、請求項３〜６のいずれか１項に記載の有機ＥＬ材料。
【請求項１０】
前記一般式（I）において、Ａが、ピリジン環の４位炭素に窒素原子が結合した（置換アリール）アミノ基であり、前記置換アリールの置換基として、前記置換基を有していてもよいヘテロアリール基を含む、請求項４〜６のいずれか１項に記載の有機ＥＬ材料。
【請求項１１】
前記一般式（I）において、Ａが、下記式（IV）で表される置換基である、請求項１０に記載の有機ＥＬ材料：
【化４】
2017059808.tif 000004
上記式（IV）において、Ｃｚは置換基を有していてもよいカルバゾリル基である。
【請求項１２】
遅延蛍光を放射する材料であることを特徴とする、請求項１〜１１のいずれか１項に記載の有機ＥＬ材料。
【請求項１３】
一対の電極間に発光層を含む複数の有機層を備え、
前記複数の有機層の少なくとも１つの層に、請求項１〜１２のいずれか１項に記載の有機ＥＬ材料を含む、有機ＥＬ素子。
【請求項１４】
前記発光層に、前記化合物を含む、請求項１３に記載の有機ＥＬ素子。
【請求項１５】
前記発光層は、ドーパント材料とホスト材料を含み、前記ドーパント材料が前記有機ＥＬ材料である、請求項１４に記載の有機ＥＬ素子。
【請求項１６】
請求項１１〜１５のいずれか１項に記載の有機ＥＬ素子を備える照明器具。
【請求項１７】
請求項１１〜１５のいずれか１項に記載の有機ＥＬ素子を備えるディスプレイ装置。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
少なくとも、第１基材層、第１接着剤層、第１腐食防止層、ステンレス鋼箔、及び第２基材層をこの順に備えてなる電池外装用積層体であって、
前記第１基材層が、ポリオレフィンからなる層であり、
前記第１接着剤層が、酸変性ポリオレフィン樹脂（Ａ）の１００質量部と、複数のエポキシ基を含有する化合物の（Ｂ）１〜２０質量部と、を含有する接着剤からなる層であることを特徴とする電池外装用積層体。
【請求項２】
前記複数のエポキシ基を含有する化合物が、フェノールノボラック型エポキシ樹脂である、請求項１に記載の電池外装用積層体。
【請求項３】
前記フェノールノボラック型エポキシ樹脂のエポキシ当量が、１００〜３００である請求項２に記載の電池外装用積層体。
【請求項４】
前記フェノールノボラック型エポキシ樹脂が、ビスフェノールＡ構造を有する請求項２又は３に記載の電池外装用積層体。
【請求項５】
前記第１腐食防止層が、ハロゲン化金属化合物を含有することを特徴とする請求項１〜４のいずれか一項に記載の電池外装用積層体。
【請求項６】
前記ハロゲン化金属化合物が、鉄、クロム、マンガン又はジルコニウムの塩化物又はフッ化物である、請求項５に記載の電池外装用積層体。
【請求項７】
前記ステンレス鋼箔の厚さが１０〜３０μｍである請求項１〜６のいずれか一項に記載の電池外装用積層体。
【請求項８】
前記第１基材層が、ホモポリプロピレン又はブロックポリプロピレンである請求項１〜７のいずれか一項に記載の電池外装用積層体。
【請求項９】
請求項１〜８のいずれか一項に記載の電池外装用積層体を備える電池外装体であって、
電池を収納する内部空間を有し、電池外装用積層体の第１基材層の側が当該内部空間の側となることを特徴とする電池外装体。
【請求項１０】
請求項９に記載の電池外装体を備えることを特徴とする電池。
【手続補正書】
【提出日】令和1年9月6日(2019.9.6)
【手続補正１】
【補正対象書類名】明細書
【補正対象項目名】発明の名称
【補正方法】変更
【補正の内容】
【発明の名称】入出力装置
【手続補正２】
【補正対象書類名】特許請求の範囲
【補正対象項目名】全文
【補正方法】変更
【補正の内容】
【特許請求の範囲】
【請求項１】
表示部と、前記表示部と重なる領域に近接するものを検知する入力部と、を有し、
前記表示部は、複数の画素を有し、
それぞれの前記画素は、液晶素子と、有機ＥＬ素子と、前記液晶素子及び前記有機ＥＬ素子に電気的に接続される画素回路と、を有し、
前記有機ＥＬ素子、前記画素回路、前記液晶素子、及び前記入力部は、一対の第１の基板と第２の基板との間において、前記第１の基板から前記第２の基板に向かって、前記有機ＥＬ素子、前記画素回路、前記液晶素子、前記入力部の順に積層され、
前記画素回路が有し、且つ前記液晶素子と電気的に接続されるトランジスタにおいて、前記トランジスタのソース電極又はドレイン電極の一方と、前記液晶素子の一方の電極とが、前記トランジスタのゲート電極と同層の導電膜を介して電気的に接続される、入出力装置。
【請求項２】
請求項１において、
前記一方の電極は、光を反射する機能を有し、
前記有機ＥＬ素子が発光する光は、前記一方の電極が有する開口部を介して、前記第２の基板側へ射出される、入出力装置。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
反射屈折（ＲＡＲ）物体のリアルタイムビューをレンダリングするコンピュータ実施方法であって、
ユーザからのユーザ入力に応答して、前記ＲＡＲ物体の３Ｄ表現を操作するステップと、
前記ＲＡＲ物体の少なくとも１つのファセットに対する光源の入射角に対応する少なくとも１つのシンチレーション要素をメモリに記憶されたルックアップテーブルからロードすることによって、前記ＲＡＲ物体の前記３Ｄ表現の複数のファセットの少なくとも１つのシンチレーションを決定するステップと、
ユーザ操作された前記ＲＡＲ物体の前記３Ｄ表現と、前記ＲＡＲ物体の前記複数のファセットの前記決定された少なくとも１つのシンチレーションとを、ディスプレイを介してユーザに表示するステップと、
を含む、コンピュータ実施方法。
【請求項２】
前記少なくとも１つのシンチレーション要素を決定するステップは、前記ＲＡＲ物体の前記３Ｄ表現の各ファセットを複数の仮想ファセットに分割することを含む、請求項１に記載のコンピュータ実施方法。
【請求項３】
前記少なくとも１つのシンチレーション要素を決定するステップは、ファイヤーシンチレーションまたはフラッシュシンチレーションを決定することを含む、請求項１に記載のコンピュータ実施方法。
【請求項４】
前記ＲＡＲ物体がカラーの場合、前記シンチレーション要素は、フラッシュシンチレーションである、請求項１に記載のコンピュータ実施方法。
【請求項５】
前記少なくとも１つのシンチレーション要素を決定するステップは、光源の位置及び特性に基づく、請求項１に記載のコンピュータ実施方法。
【請求項６】
前記光源の前記位置は、前記ユーザの上方である、請求項５に記載のコンピュータ実施方法。
【請求項７】
前記少なくとも１つのシンチレーション要素を決定するステップは、ＲＡＲ物体に関する複数のルックアップテーブルに基づく、請求項１に記載のコンピュータ実施方法。
【請求項８】
前記３Ｄ表現は、複数のＲＡＲ物体を含む、請求項１に記載のコンピュータ実施方法。
【請求項９】
少なくとも１つのシンチレーション要素に対応する前記少なくとも１つのルックアップテーブルを決定することは、ディスパージョン、前記ファセットのカット角度、照明、または、屈折率の少なくとも１つに基づく、請求項１に記載のコンピュータ実施方法。
【請求項１０】
ユーザ操作された前記ＲＡＲ物体の前記３Ｄ表現の前記表示は、前記ＲＡＲ物体の少なくとも１つのファセットの白色光の強度の変化を表示することを含む、請求項１に記載のコンピュータ実施方法。
【請求項１１】
ユーザ操作された前記ＲＡＲ物体の前記３Ｄ表現の前記表示は、前記ＲＡＲ物体の少なくとも１つのファセットの光の色彩の変化を表示することを含む、請求項１に記載のコンピュータ実施方法。
【請求項１２】
前記ＲＡＲ物体は、宝石である、請求項１に記載のコンピュータ実施方法。
【請求項１３】
コンピュータに、請求項１ないし１２のいずれか一項に記載のコンピュータ実施方法の各ステップを実行させるためのプログラム。
【請求項１４】
実行されると１つまたは複数のプロセッサに請求項１ないし１２のいずれか一項に記載のコンピュータ実施方法を実装させる命令を格納するコンピュータ読み取り可能な媒体。
【請求項１５】
ＲＡＲ物体のリアルタイムビューをレンダリングするシステムであって、
１つまたは複数のプロセッサと、
前記１つまたは複数のプロセッサに、請求項１ないし１２のいずれか一項に記載のコンピュータ実施方法を実行させる命令を格納する１つまたは複数のコンピュータ読み取り可能な媒体と
を備えたことを特徴とするシステム。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
基板の搬入出に使用される第１ゲート及び第１ゲートとは異なる第２ゲートが処理容器に設けられた真空処理装置の前記第２ゲートに対応するサイズの開口部が形成され、前記第２ゲートに対して気密性を保ちつつ前記開口部を取り付け可能とされたケースと、
前記ケース内部に収容され、前記開口部を介して、前記処理容器内の消耗パーツの取り外し、前記処理容器内への消耗パーツの取り付け、前記処理容器内の清掃の少なくとも１つを行うメンテナンス機構と、
を有することを特徴とするメンテナンス装置。 
【請求項２】
前記メンテナンス機構は、
アームと、
前記アームに脱着可能とされ、前記処理容器内の消耗パーツの取り外す取り外しユニット、前記処理容器内への消耗パーツの取り付けを行う取り付けユニット、または、前記処理容器内の清掃を行う清掃ユニットの何れかのユニットを少なくとも１つ
を有することを特徴とする請求項１に記載のメンテナンス装置。 
【請求項３】
前記処理容器内の消耗パーツの取り外すユニットは、消耗パーツと接触させる面に粘着層を有する
ことを特徴とする請求項２に記載のメンテナンス装置。 
【請求項４】
前記ユニットは、前記ケースに個別に着脱可能とされている
ことを特徴とする請求項２又は３に記載のメンテナンス装置。
【請求項５】
前記ケースは、前記アームおよび前記ユニットの少なくとも一方を収容したフレームを含む複数のフレームを接合して構成されている
ことを特徴とする請求項２〜４の何れか１つに記載のメンテナンス装置。
【請求項６】
前記ケース内には、前記ユニットを支持する支持台を有する
ことを特徴とする請求項２〜５の何れか１つに記載のメンテナンス装置。
【請求項７】
前記取り付けユニットには、前記処理容器内に設けられた載置台に対して位置決めを行う位置決めピンが設けられている
請求項２〜６の何れか１つに記載のメンテナンス装置。
【請求項８】
前記消耗パーツは、フォーカスリングであり、
前記取り付けユニットは、前記フォーカスリングと係合して支持する係合部材と、前記フォーカスリングとの係合を開放するピンとを有する
請求項７に記載のメンテナンス装置。
【請求項９】
前記少なくとも１つのユニットは、前記ケース内に縦方向に収容される
ことを特徴とする請求項２〜８の何れか１つに記載のメンテナンス装置。
【請求項１０】
前記真空処理装置の前記第２ゲートを閉塞するアダプタを取り外すアダプタ取り外しユニットを更に有する
請求項１〜９の何れか１つに記載のメンテナンス装置。
【請求項１１】
前記アダプタ取り外しユニットは、前記アダプタとの位置決めを行う位置決めピンを有する請求項１０に記載のメンテナンス装置。
【請求項１２】
前記アダプタ取り外しユニットは、前記アダプタを取り外す取り外しピンを有し、
前記ケースには、前記取り外しピンを回転させるハンドルが設けられている
請求項１０または１１に記載のメンテナンス装置。
【請求項１３】
前記ケース内には、取り外した前記アダプタを保持するアダプタサポートが設けられている請求項１０〜１２の何れか１つに記載のメンテナンス装置。
【請求項１４】
前記ケース内で移動可能に設けられたステージを更に有する請求項１０〜１３の何れか１つに記載のメンテナンス装置。
【請求項１５】
前記アダプタ取り外ユニットは、前記ステージに着脱可能とされていることを特徴とする請求項１４に記載のメンテナンス装置。
【請求項１６】
前記ケースには、前記アダプタ取り外しユニットを前記ステージに着脱させるためのハンドルが設けられている請求項１５に記載のメンテナンス装置。
【請求項１７】
前記アームは、前記ケース内で移動可能に設けられたステージに着脱可能とされていることを特徴とする請求項２〜９の何れか１つに記載のメンテナンス装置。
【請求項１８】
前記アームは、ベース部と、ヘッド部と、前記ヘッド部を前記ベース部から伸縮させる伸縮機構を含み、
前記伸縮機構は、前記ベース部に回転可能に支持されたボールねじと、前記ヘッド部に固定され前記ボールねじに対応して溝が形成された支持部材を含む
請求項１７に記載のメンテナンス装置。
【請求項１９】
前記アームは、前記ヘッド部を昇降させる昇降機構を更に含み、
前記昇降機構は、前記ベース部に設けられた第１の回転軸と、前記第１の回転軸に設けられた第１のプーリと、前記ヘッド部に設けられた第２の回転軸と、前記第２の回転軸に設けられた第２のプーリと、前記第１のプーリと前記第２のプーリに巻きかけられたベルトを含む
請求項１８に記載のメンテナンス装置。
【請求項２０】
前記真空処理装置の排気装置と接続し、前記ケース内を減圧する排気管
を更に有する請求項１〜１９の何れか１つに記載のメンテナンス装置。
【請求項２１】
前記ケース内には、ボールねじと前記ボールねじと平行に配置されたシャフトが設けられ、
前記ステージは、前記ボールねじおよび前記シャフトに取り付けられ、前記ステージには前記ボールねじに対応した溝が形成され、
前記ステージは、前記ボールねじの回転により移動可能に構成される
請求項１４または１７に記載のメンテナンス装置。
【請求項２２】
前記ケース内に、昇降台を更に有する請求項１〜２１の何れか１つに記載のメンテナンス装置。
【請求項２３】
第１ゲート及び前記第１ゲートとは異なる第２ゲートを有する真空処理容器であり、前記第１ゲートは、基板の搬入出に使用され、前記第２ゲートは、前記真空処理容器における基板処理によって消耗する消耗パーツの搬入出のために使用され、消耗パーツを交換するメンテナンス装置と脱着可能である、真空処理容器と、
前記真空処理容器内に配置され、基板及び消耗パーツを載置可能な載置台と、
を有する真空処理装置。
【請求項２４】
前記第２ゲートは、前記基板が載置される載置台に対して第１ゲートの反対側に設けられていることを特徴とする請求項２３に記載の真空処理装置。
【請求項２５】
前記第２ゲートを閉塞するアダプタを更に有することを特徴とする請求項２３または２４に記載の真空処理装置。
【請求項２６】
前記アダプタは、ねじで固定されることを特徴とする請求項２５に記載の真空処理装置。
【手続補正書】
【提出日】令和1年6月10日(2019.6.10)
【手続補正１】
【補正対象書類名】明細書
【補正対象項目名】発明の名称
【補正方法】変更
【補正の内容】
【発明の名称】カレントトランス
【手続補正２】
【補正対象書類名】特許請求の範囲
【補正対象項目名】全文
【補正方法】変更
【補正の内容】
【特許請求の範囲】
【請求項１】
磁性材料を含む環状のコアと、
環状凹部を有する第１半体と、前記第１半体の前記環状凹部を塞ぐ第２半体から構成され、前記第１半体の前記環状凹部に前記コアを挿入し、前記第１半体と前記第２半体を係合することにより、前記環状凹部に前記コアを収容する樹脂製のコアケースと、
前記コアケースに巻回される巻線と、
を含むカレントトランスであって、
前記コアの内周と前記環状凹部との間には内周側隙間、前記コアの外周と前記環状凹部との間には外周側隙間が形成されており、前記内周側隙間の幅は前記外周側隙間の幅よりも大きく形成されており、
前記内周側隙間及び前記外周側隙間の少なくとも一部には、ゲル材料が介在している、
カレントトランス。
【請求項２】
前記ゲル材料は、シリコーンゲルである、
請求項１に記載のカレントトランス。
【請求項３】
前記ゲル材料は、ゲル化後の針入度が５０以上である、
請求項１又は請求項２に記載のカレントトランス。
【請求項４】
前記第２半体は、前記コアが挿入される環状凹部を有する形状、または、板状である、
請求項１乃至請求項３の何れかに記載のカレントトランス。
【請求項５】
前記環状のコアは断面略矩形であって、
前記ゲル材料は、前記環状凹部と前記コアが対向する４面の各々の少なくとも一部に介在している、
請求項１乃至請求項４の何れかに記載のカレントトランス。
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
半導体基板（４）上に設けられ、ゲート駆動形のメイン素子（２）と電流検出用のセンス素子（３）とが分離領域（１６）を隔てて配置される半導体装置であって、
前記半導体基板に形成された前記センス素子の形成領域内の構成中、抵抗に寄与する少なくとも一部の抵抗成分（４ｃ〜４ｅ、２２ｂ〜２２ｅ）が、前記メイン素子の抵抗に寄与する同等の構成部分の抵抗成分（４、４ａ、４ｂ、２２ａ）よりも高い抵抗値に形成された半導体装置。
【請求項２】
前記センス素子（３）の抵抗に寄与する少なくとも一つの抵抗成分を高く設定する領域は、前記センス素子の形成領域内の構成（４ｃ〜４ｅ、２２ｂ〜２２ｅ）の全部もしくは一部である請求項１記載の半導体装置。
【請求項３】
前記センス素子（３）の抵抗に寄与する少なくとも一つの抵抗成分を高く設定する領域は、前記センス素子の外周領域の一部（４ｄ、２２ｃ、２２ｄ）あるいは全部（４ｃ、２２ｂ）である請求項２記載の半導体装置。
【請求項４】
前記センス素子（３）の抵抗に寄与する少なくとも一つの抵抗成分を高く設定する領域は、前記センス素子のチャンネル領域（２２ｂ〜２２ｅ）である請求項２または３記載の半導体装置。
【請求項５】
前記センス素子（３）の抵抗に寄与する少なくとも一つの抵抗成分を高く設定する領域は、前記センス素子のドリフト領域（４ｃ〜４ｅ）である請求項２または３記載の半導体装置。
【手続補正２】
【補正対象書類名】明細書
【補正対象項目名】０００６
【補正方法】変更
【補正の内容】
【０００６】
請求項１に記載の半導体装置は、半導体基板に設けられ、ゲート駆動形のメイン素子とセンス素子とが分離領域を隔てて位置する半導体装置であって、前記半導体基板に形成された前記センス素子の形成領域内の構成中、前記センス素子の抵抗に寄与する少なくとも一部の抵抗成分を、前記メイン素子の抵抗に寄与する同等の構成部分の抵抗成分よりも高い抵抗値に形成されている。
【手続補正書】
【提出日】令和1年6月14日(2019.6.14)
【手続補正１】
【補正対象書類名】特許請求の範囲
【補正対象項目名】請求項１
【補正方法】変更
【補正の内容】
【請求項１】
オペアンプ（ＯＰ，ＯＰ１）と、前記オペアンプの第１入力端子と出力端子との間に挿入された積分容量（Ｃｆ，Ｃｆ１）と、を有する積分器（１０，１１）と、
前記オペアンプの出力信号を量子化した量子化結果（Ｑｏｕｔ）を出力する量子化器（２０）と、
前記オペアンプの前記第１入力端子に第１制御スイッチ（ＳＤ３，ＳＤ１３）を介して接続され、前記積分容量に蓄積された電荷から前記量子化結果に基づく電荷を減算し、ΔΣ変調における前記量子化結果の前記積分器へのフィードバックを行うためのＤＡＣ（３０，３１）と、
前記量子化結果に基づいてデジタル出力値を出力する制御回路（４０）と、を備えるΔΣ変調器であって、
前記オペアンプの前記第１入力端子に第２制御スイッチ（ＳＳ３，ＳＳ１３）を介して接続され、入力信号としてのアナログ信号（Ｖｉｎ）に基づく電荷が蓄積されるサンプリング容量（Ｃｓ，Ｃｓ１）を備え、
前記第２制御スイッチは、前記サンプリング容量と、前記積分容量と前記第１入力端子との中間点と、の間に介在して両者の電気的接続をオンオフ可能にし、
前記第２制御スイッチがオフ状態とされたサンプリング期間とオン状態とされた期間とを含む１サンプリングサイクル当たり、ひとつの前記アナログ信号に対するΔΣ変調において複数回の前記量子化結果のフィードバックが行われるΔΣ変調器。
【手続補正２】
【補正対象書類名】明細書
【補正対象項目名】０００８
【補正方法】変更
【補正の内容】
【０００８】
上記目的を達成するために、この明細書に開示されるΔΣ変調器は、
オペアンプ（ＯＰ，ＯＰ１）と、オペアンプの第１入力端子と出力端子との間に挿入された積分容量（Ｃｆ，Ｃｆ１）と、を有する積分器（１０，１１）と、
オペアンプの出力信号を量子化した量子化結果（Ｑｏｕｔ）を出力する量子化器（２０）と、
オペアンプの第１入力端子に第１制御スイッチ（ＳＤ３，ＳＤ１３）を介して接続され、積分容量に蓄積された電荷から量子化結果に基づく電荷を減算し、ΔΣ変調における量子化結果の積分器へのフィードバックを行うためのＤＡＣ（３０，３１）と、
量子化結果に基づいてデジタル出力値を出力する制御回路（４０）と、を備えるΔΣ変調器であって、
オペアンプの第１入力端子に第２制御スイッチ（ＳＳ３，ＳＳ１３）を介して接続され、入力信号としてのアナログ信号（Ｖｉｎ）に基づく電荷が蓄積されるサンプリング容量（Ｃｓ，Ｃｓ１）を備え、
第２制御スイッチは、サンプリング容量と、積分容量と第１入力端子との中間点と、の間に介在して両者の電気的接続をオンオフ可能にし、
第２制御スイッチがオフ状態とされたサンプリング期間とオン状態とされた期間とを含む１サンプリングサイクル当たり、ひとつのアナログ信号に対するΔΣ変調において複数回の量子化結果のフィードバックが行われる。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
モータの少なくとも１つのコイルに流れるモータ電流を検出する電流検出部と、
前記モータに設けられたロータの回転位置を検出する回転位置検出部と、
前記モータの回転数が所定回転数以下であるときにおける前記モータ電流と前記回転位置の位相差である第１の位相差情報と、前記モータの回転数が所定回転数を超えるときにおける前記モータ電流と前記回転位置の位相差である第２の位相差情報と、を算出する位相差算出部と、
前記第１の位相差情報に基づく、位相補正情報を記憶する記憶部と、
前記位相補正情報と、前記位相差算出部から入力された前記第２の位相差情報とに基づいて、前記回転位置検出部によって検出された前記回転位置を補正し、補正回転位置信号を出力する補正部と、
前記補正回転位置信号に基づいて前記モータに出力する駆動信号を生成する駆動部と、
を有するモータ制御装置。
【請求項２】
前記電流検出部は、前記モータ電流の位相のゼロクロスのタイミングを検出してモータ電流値信号を出力し、
前記回転位置検出部は、前記ロータの回転位置の位相のゼロクロスのタイミングを検出して回転位置信号を出力する、
請求項１に記載のモータ制御装置。
【請求項３】
前記回転位置検出部は、前記モータのステータの所定の取付け位置に取り付けられた位置センサから入力される位置センサ出力信号に応じて前記回転位置信号を出力する、請求項２に記載のモータ制御装置。
【請求項４】
前記位相差算出部は、前記モータ電流値信号と前記回転位置信号の各々のエッジを検出し、前記第１の位相差情報及び前記第２の位相差情報を算出する、請求項２に記載のモータ制御装置。
【請求項５】
前記第１の位相差情報は、前記駆動信号の出力を停止して前記モータを空転させたときの位相差情報であり、
前記第２の位相差情報は、前記駆動信号を出力して前記モータを駆動させたときの位相差情報である、
請求項１に記載のモータ制御装置。
【請求項６】
前記位相補正情報は、前記第１の位相差情報から所定の目標位相差を減算して算出され、
前記補正部は、前記所定の目標位相差、前記位相補正情報及び前記第２の位相差情報に基づいて、前記回転位置検出部によって検出された前記回転位置を補正し、前記補正回転位置信号を出力する、請求項１に記載のモータ制御装置。
【請求項７】
モータと、
制御装置と、
を有し、
前記制御装置は、
前記モータの少なくとも１つのコイルに流れるモータ電流を検出する電流検出部と、
前記モータに設けられたロータの回転位置を検出する回転位置検出部と、
前記モータの回転数が所定回転数以下であるときにおける前記モータ電流と前記回転位置の位相差である第１の位相差情報と、前記モータの回転数が所定回転数を超えるときにおける前記モータ電流と前記回転位置の位相差である第２の位相差情報と、を算出する位相差算出部と、
前記第１の位相差情報に基づく位相補正情報を記憶する記憶部と、
前記位相補正情報と、前記位相差算出部から入力された前記第２の位相差情報とに基づいて、前記回転位置を補正し、補正回転位置信号を出力する補正部と、
前記補正回転位置信号に基づいて前記モータに出力する駆動信号を生成する駆動部と、
を有するモータ駆動装置。